【手続補正書】
【提出日】平成28年12月20日(2016.12.20)
【手続補正１】
【補正対象書類名】特許請求の範囲
【補正対象項目名】全文
【補正方法】変更
【補正の内容】
【特許請求の範囲】
【請求項１】
格闘技、接触競技またはグラップリング競技を練習するためのトレーニング機器であって、衝撃を吸収する充填材料（４、４’）で形成されたサンドバッグ（１）を備え、前記充填材料が、実質的に筒状の外被（３）の内部容積に配置され、この外被が、下端に下壁を構成する閉鎖壁（１９）を備え、上端に第２の閉鎖壁（６）を備える、トレーニング機器において、前記バッグを地面上で支えるための水平ベースであって、地面（Ｓ）上で不動になるように適応し、上に前記サンドバッグ（１）の前記外被の前記下壁（１９）が載る水平ベース（２０）と、少なくとも１つの垂直平面および前記下壁（１９）と前記ベース（２０）との間の接触点の周りで前記バッグ（１）を回転運動させる機械的連結部であって、前記支持ベース（１０）と前記サンドバッグ（１）との間で確立される機械的連結部とを備え、前記サンドバッグ（１）がさらに、直立位置に戻すための少なくとも１つの戻し手段（２１、６４、１０）を有し、前記戻し手段（２１、６４、１０）が、前記バッグ（１）が直立している安定した初期状態および前記バッグ（１）が水平になって地面に横たわっている不安定な最終状態になることが可能であることを特徴とする、トレーニング機器。
【請求項２】
前記バッグ（１）の前記充填材料（４、４’）の中に収容されている、前記外被（３）の前記上壁（６）から前記下壁（１９）まで延在する剛性中央チューブ（５）を備え、前記チューブが、前記壁に固定されて該チューブとともに前記バッグ（１）の骨組みを形成し、前記チューブ（５）の上開口および下開口は、前記上壁（６）の貫通孔および前記下壁（１９）の貫通孔とそれぞれ連通し、前記戻し手段または少なくとも１つの前記戻し手段（２１、６４）は、少なくとも部分的に前記中央チューブ（５）に収容されることを特徴とする、請求項１に記載の機器。
【請求項３】
前記戻し手段（２１）は、前記チューブ（５）にある装着点と前記支持ベース（２０）にある装着点との間に、張力をかけた状態で取り付けられた弾性部材で構成され、前記戻し手段は、前記下壁（１９）の貫通孔（３６）に嵌合することを特徴とする、請求項２に記載の機器。
【請求項４】
前記第１の戻し手段は、前記バッグ（１）の下部で前記中央チューブ（５）の周りに設置されたバラスト重量で形成され、前記下壁（１９）は半球容積を規定し、前記バラスト重量の重心は、サンドバッグを形成するために、半球容積の水平な赤道部分の中心よりも下にあることを特徴とする、請求項２に記載の機器。
【請求項５】
前記バッグ（１）の骨組みに機械的に連結された第２の戻し手段（６４、１０）を備え、該第２の戻し手段（６４）は、前記バッグ（１）に取り付けられた第１の装着部材に固定され、さらに詳細には、前記バッグの骨組みに固定され、天井、柱または前記バッグ（１）の上に広がるその他の任意の構造体に取り付けられた第２の装着部材に機械的に連結するように適応していることを特徴とする、請求項１〜４のうちいずれか一項に記載の機器。
【請求項６】
前記第２の戻し手段（６４）は、少なくとも部分的に前記チューブ（５）に収容されたケーブル形態の可撓性の細長い要素で形成され、一方の端部は前記サンドバッグ（１）の前記中央チューブ（５）に取り付けられた装着点に固定され、前記バッグの外部にあるもう一方の端部は、前記第２の装着部材に機械的に連結し、前記ケーブル（６４）は、前記第２の装着部材と前記バッグ（１）との間の距離を短縮しようとして前記ケーブルを初期状態に持って行こうとする力を受けることを特徴とする、請求項５に記載の機器。
【請求項７】
縦方向に弾性変形し、前記第２の装着部材と前記ケーブル（６４）の該当する方の端部との間に機械的に配置される上方保持システム（１０）を特徴とし、前記保持システムは、第２の戻し手段を構成する、請求項５または６に記載の機器。
【請求項８】
前記上方保持システム（１０）は、中央弾性要素（４０）および複数の周縁弾性要素（４１）を備え、前記両要素（４０）、（４１）は、互いに平行で、束の状態に構成され、その端部は、互いに間隔を開けた上方プレート（４２）と下方プレート（３９）とに固定され、前記周縁弾性要素（４１）は、個別に取り外し可能な形で前記２つのプレート（３９、４２）の少なくとも一方に固定されることを特徴とする、請求項７に記載の機器。
【請求項９】
前記上方保持システム（１０）と前記第２の戻し手段との間には、機械的にトリガーする閾値を設定できる手段が設けられ、該閾値未満では前記上方保持システムのみに伸張負荷がかかり、前記閾値を上回れば前記第２の戻し手段にも引っ張り負荷がかかり、前記手段はトリガー（４４）で形成され、該トリガーは、分離できる形で互いに接合した少なくとも２つの要素（４４０）、（４４１）で形成され、該要素の一方は、前記バッグ（１）に機械的に連結し、前記要素のもう一方は、前記保持システム（１０）および前記第２の戻し手段に機械的に連結し、前記要素（４４０）、（４４１）は、互いに機械的に離れるように適応し、前記トリガーの前記要素（４４０）、（４４１）は、両者を分離しようとする機械的負荷の強度が前記トリガー閾値よりも低ければ接合したままになり、前記機械的負荷の強度が前記トリガー閾値よりも高ければ互いに分離することを特徴とする、請求項５〜８のうちいずれか一項に記載の機器。
【請求項１０】
前記トリガー（４４）は、前記バッグの前記上壁（６）に固定されるか該上壁の一部を形成している磁気材料製の壁（４４０）と、該磁化壁と磁力により接触している磁石（４４）とで形成され、前記磁石（４４）は、連結器によって前記上方保持システム（１０）に固定され、前記第２の弾性戻し手段の前記ケーブル（６４）は、該当する方の端部が前記磁石（４４）に固定されることを特徴とする、請求項９に記載の機器。
【請求項１１】
前記バッグ（１）の下部は、安定手段（１００）を備えることを特徴とする、請求項１に記載の機器。
【請求項１２】
前記安定手段（１００）は、実質的に球の一部の形態であるフォーム材製の周縁カバー（１００ａ）と、該カバー（１００ａ）に埋め込まれたバラスト重量（１０５）とで形成され、該バラスト重量は前記下閉鎖壁（１９）に固定され、前記バラスト重量は、軸方向に貫通するねじ山を有し、該ねじ山に、第１の戻し手段（２１）の通路となる管状スリーブ（１９０）がねじ締めされることを特徴とする、請求項１１に記載の機器。
【請求項１３】
前記安定手段（１００）は、内チャンバ（１１１）を規定しているシェル（１１０）で形成され、前記チャンバ内には安定材料（１１２）が配置され、前記シェル（１１０）は、水平な下壁（１１０ａ）、包囲壁または側壁（１１０ｂ）および水平な上壁（１１０ｃ）を有し、これらの様々な壁は、前記シェルの前記内チャンバ（１１１）を規定することを特徴とする、請求項１１に記載の機器。
【請求項１４】
前記バッグ（１）の下部は、該下部を保護して前記安定手段（１００）に固定するためのスカート（１２０）を備えることを特徴とする、請求項１３に記載の機器。
【請求項１５】
前記安定手段（１００）は、衝撃吸収材（１０１）に回転式に取り付けられることを特徴とする、請求項１１〜１４のうちいずれか一項に記載の機器。
【請求項１６】
低密度でフォーム材製の前記衝撃吸収材（１０１）は、包囲壁（１０４）で形成され、該包囲壁は、前記安定手段（１００）の周りに円形に広がって該安定手段と接触した状態であり、前記包囲壁は、前記安定手段（１００）を受け入れるように適応した開口ハウジング（１０２）を規定し、前記ハウジング（１０２）の形状は、前記安定手段（１００）の前記カバー（１００ａ）または前記シェル（１１０）の形状と実質的に補完し合うことを特徴とする、請求項１５に記載の機器。